(57)【特許請求の範囲】
【請求項１】
棒で上縁を打ち叩いて鳴らす金属製叩打音型仏りんにおいて、仏りん本体を底面部から口縁部に向かって徐々に肉厚となるよう構成すると共に、仏りん本体の口縁部から間隔を有した位置の内壁に内向肉厚部を全周に亘って無端帯状に設け、棒で上縁を打ち叩いて鳴らす最初の叩打音である「甲」の音色を良好化すると共に、唸りや共鳴音である「乙・聞」の残響時間を長期化する構成としたことを特徴とする仏りんの甲・乙・聞改善方法。
【請求項２】
前記内向肉厚部が仏りん本体の口縁部に沿って無端帯状に設けられていることを特徴とする請求項１に記載の仏りんの甲・乙・聞改善方法。
【請求項３】
前記口縁部から間隔を有した位置の内壁に設けられた内向肉厚部が２以上設けられていることを特徴とする請求項１又は２に記載の仏りんの甲・乙・聞改善方法。
【発明の詳細な説明】
【技術分野】
【０００１】
本発明は仏りんの甲・乙・聞改善方法に関する。
【背景技術】
【０００２】
叩打音型の金属製の梵音具としては、仏りん、印金、磬子（けいす）、梵鐘、半鐘などが知られているが、これらは、上向きないしは下向きの碗型、ドーム型、コップ型等の形状を有している。
【０００３】
これらの梵音具の叩打音は「甲・乙・聞」という三つの音から成る。即ち、「甲」は叩
打した最初の「カーン」や「チーン」という音であり、「乙」は次に続く「モンモン・・・」という音であり、「聞」は音が消えていく際の「ウーン」という音である。
【０００４】
梵音具においては、最初の叩打音である「甲」の音色が良好であると共に、唸りや共鳴（共振）音である「乙・聞」の残響時間の長いことが望まれている。
【０００５】
良好な叩打音を得るために、梵音具の厚みをある程度の厚さとし、更に、長い共鳴（共振）音を得るために、梵音具の内側底面部から口縁部にかけて肉厚をしだいに厚くし、口縁部を相当厚みを有するように形成することが行われている（特許文献１の図１及び図７、特許文献２の図１〜図８、特許文献３の図８及び図９、特許文献４の図２、特許文献５の図２等参照）。
【０００６】
【特許文献１】特開平８−２０５９８９号公報
【特許文献２】特開２００３−３１９８６９号公報
【特許文献３】特開２００４−１４１３７２号公報
【特許文献４】実開昭６３−１２７４７５号公報
【特許文献５】実開平５−５３５８０号公報
【発明の開示】
【発明が解決しようとする課題】
【０００７】
本発明者は、これらの先行技術について更に研究を続けた結果、より良好な音色で、しかも残響時間が長く、余韻が飛躍的に改善された仏りんの甲・乙・聞改善方法を見出すことができた。
【０００８】
本発明の課題は、より良好な音色で、しかも残響時間が長く、余韻が飛躍的に改善された仏りんの甲・乙・聞改善方法を提供することにある。
【課題を解決するための手段】
【０００９】
上記課題を解決する本発明は下記構成を有する。
１．棒で上縁を打ち叩いて鳴らす金属製叩打音型仏りんにおいて、仏りん本体を底面部から口縁部に向かって徐々に肉厚となるよう構成すると共に、仏りん本体の口縁部から間隔を有した位置の内壁に内向肉厚部を全周に亘って無端帯状に設け、棒で上縁を打ち叩いて鳴らす最初の叩打音である「甲」の音色を良好化すると共に、唸りや共鳴音である「乙・聞」の残響時間を長期化する構成としたことを特徴とする仏りんの甲・乙・聞改善方法。
【００１０】
２．前記内向肉厚部が仏りん本体の口縁部に沿って無端帯状に設けられていることを特徴とする前記１に記載の仏りんの甲・乙・聞改善方法。    
【００１１】
３．前記口縁部から間隔を有した位置の内壁に設けられた内向肉厚部が２以上設けられていることを特徴とする前記１又は２に記載の仏りん甲・乙・聞改善方法。
【発明の効果】
【００１２】
前記１に示す発明によれば、仏りん本体の内側であって口縁部から間隔を有した位置に仏りんの内部空間に向かう内向厚肉部を全周に亘って無端帯状に設けたことにより、最初の叩打音である「甲」の音色が良好であると共に、唸りや共鳴（共振）音である「乙・聞」の残響時間の長い仏りんを得ることができる。また、鈴台、りん布団等の支持台・受台、等を付加した態様としても、より良好な音色で、しかも残響時間が長く、余韻が飛躍的に改善された仏りんを得ることができる。また、仏りん本体が、底面部から口縁部にかけて肉厚が漸次厚くなる構成であることにより、最初の叩打音である「甲」の音色がより良好な仏りんを得ることができる。
【００１３】
特に、伝承及び形式が重んじられる仏具である梵音具仏りんにおいて、伝承及び形式に基く外形を維持したままであっても音鳴りを飛躍的に改善することができる。
【００１４】
前記２に示す発明によれば、内向厚肉部が口縁部に沿って無端帯状に設けられていることにより、唸りや共鳴（共振）音である「乙・聞」の残響時間のより長い仏りんの甲・乙・聞改善方法を提供することができる。
【００１５】
更に、前記３に示す発明によれば、前記口縁部から間隔を有した位置の内壁に設けられた内向肉厚部が２以上設けられていることにより、最初の叩打音である「甲」の音色が良好であると共に、唸りや共鳴（共振）音である「乙・聞」の残響時間の長い仏りんの甲・乙・聞改善方法を提供することができる。
【発明を実施するための最良の形態】
【００１６】
以下、本発明の仏りんの甲・乙・聞改善方法の詳細について添付図面に基づき説明する。
【００１７】
図１は本発明の仏りんの第１実施例を示す断面図、
図２は本発明の仏りんの第２実施例を示す断面図、
図３は、本発明の仏りんの第３実施例を示す断面図、
図４は、本発明の仏りんの第４実施例を示す断面図、
である。
【００１８】
本発明に係る仏りんは、上向きの碗型の形状を有する叩打音型の金属製仏りんである。
【００１９】
先ず、本発明に係る仏りんの第１実施例について図１に基き説明する。
【００２０】
図１に示す仏りんの第１実施例は、仏りん本体１の内側であって口縁部２から間隔を有した位置に仏りん本体１の内部空間に向かう内向厚肉部３が全周に亘って無端帯状に設けられた構成を有する。
【００２１】
内向厚肉部３の位置は、仏りん本体１の最上部である口縁部２の上面から最下部である底面４までの高さを２０等分した際に、口縁部２の上面から２０分の１〜２０分の８の範囲にあることが好ましく、２０分の２〜２０分の６の範囲にあることがより好ましい。
【００２２】
また内向厚肉部３の高さＸは、該内向厚肉部３の直上または直下の部分の肉厚の０．５倍〜２倍程度が好ましく、約１倍がより好ましい。
【００２３】
さらに内向厚肉部３の上下方向の幅Ｙは、前記高さＸと略同じであることが好ましい。
【００２４】
第１実施例に示す仏りんでは、底面４から口縁部２にかけて肉厚が漸次厚くなり、口縁部２で相当厚みを有する肉厚のものを示したが、本発明はこれに限らず、段階的に厚みを増すものにも適用することができる。
【００２５】
次に、本発明に係る仏りんの第２実施例について図２に基き説明する。
【００２６】
図２に示す仏りんの第２実施例も、鉢型又は碗型の梵音具を示すものであり、仏りん本体１の内側であって口縁部２から間隔を有した位置に仏りん本体１の内部空間に向かう内向厚肉部３が全周に亘って無端帯状に設けられ、更に口縁部２にも仏りん本体１の内部空間に向かう内向厚肉部３’が該口縁部２に沿って全周に亘って無端帯状に設けられた構成
を有する。即ち、仏りん本体１の内側に無端帯状に設けられた内向厚肉部３・３’を２段設けた構成となっている。
【００２７】
第２実施例において、内向厚肉部３の位置、内向厚肉部３・３’の高さ、内向厚肉部３・３’の上下方向の幅については、前記実施例１と同様である。
【００２８】
また、第２実施例に示す仏りんにおいても、底面４から口縁部２にかけて肉厚が漸次厚くなり、口縁部２で相当厚みを有する肉厚のものを示したが、本発明はこれに限らず、段階的に厚みを増すものにも適用することができる。
【００２９】
次に、仏りん１の第３実施例について図３に基き説明する。
【００３０】
図３に示す仏りんの第３実施例は、前記第１実施例及び第２実施例と同様の上向きの鉢型又は碗型である。
【００３１】
本第３実施例では、仏りん本体１の内側であって口縁部２から間隔を有した位置の２箇所に仏りん本体１の内部空間に向かう内向厚肉部３・３”が全周に亘って無端帯状に夫々設けられた構成を有する。即ち、仏りん本体１の内側に無端帯状に設けられた内向厚肉部３・３”を２段設けた構成となっている。
【００３２】
図２に示す前記第２実施例も内向厚肉部３・３’が２段設けられた構成であるが、第２実施例が、口縁部２から間隔を有した位置と、口縁部２内側の該口縁部２に沿った位置との２段であるのに対し、第３実施例は、２段の無端帯状の内向厚肉部３・３”の両方が口縁部２から間隔を有した位置に設けられた構成となっている。
【００３３】
第３実施例において、内向厚肉部３の位置、内向厚肉部３・３”の高さ、内向厚肉部３・３”の上下方向の幅については、前記実施例１と同様である。
【００３４】
また、内向厚肉部３”の位置は、仏りん本体１の最上部である口縁部２の上面から最下部である底面４までの高さを２０等分した際に、口縁部２の上面から２０分の４〜２０分の１０の範囲にあることが好ましく、２０分の７〜２０分の９の範囲にあることがより好ましい。
【００３５】
さらに、第３実施例に示す仏りんにおいても、底面４から口縁部２にかけて肉厚が漸次厚くなり、口縁部２で相当厚みを有する肉厚のものを示したが、本発明はこれに限らず、段階的に厚みを増すものにも適用することができる。
【００３６】
次に、仏りんの第４実施例について図４に基き説明する。
【００３７】
図４に示す仏りんの第４実施例は、前記第１実施例、第２実施例及び第３実施例と同様の上向きの鉢型又は碗型である。
【００３８】
本第４実施例では、仏りん本体１の内側であって口縁部２から間隔を有した位置の２箇所に仏りん本体１の内部空間に向かう内向厚肉部３・３”が全周に亘って無端帯状に夫々設けられ、更に口縁部２の内側にも仏りん本体１の内部空間に向かうと共に該口縁部２に沿った内向厚肉部３’が全周に亘って無端帯状に設けられた構成を有する。即ち、仏りん本体１の内側に無端帯状に設けられた内向厚肉部３・３’・３”を３段設けた構成となっている。
【００３９】
第４実施例において、内向厚肉部３・３’の位置、内向厚肉部３・３’・３”の高さ、
内向厚肉部３・３’・３”の上下方向の幅については、前記実施例１と同様である。また、内向厚肉部３”の位置は、前記第３実施例と同様である。
【００４０】
また、第４実施例に示す仏りんにおいても、底面４から口縁部２にかけて肉厚が漸次厚くなり、口縁部２で相当厚みを有する肉厚のものを示したが、本発明はこれに限らず、段階的に厚みを増すものにも適用することができる。
【００４１】
以上、本発明に係る仏りんについて、第１実施例〜第４実施例を説明したが、本発明は上記実施例に限定されず、本発明の範囲内において、例えば、下記するような種々の態様を採ることができる。
【００４２】
上記第１実施例〜第４実施例では、内向厚肉部の数は１〜３であったが、４以上であってもよい。
【００４３】
内向厚肉部３・３’・３”及び厚肉部５は、仏りん本体１と一体的に形成される構成に限らず、後付け形成であってもよい。
【００４４】
内向厚肉部３・３’・３”及び厚肉部５は、断面形状が、図１、図２、図３及び図４に示す台形に限らず、矩形、その他の多角形等、他の形状であってもよい。
【００４５】
本発明の仏りんの甲・乙・聞改善方法によれば、鈴台、りん布団等の支持台・受台等を付加した態様の場合であっても、より良好な音色で、しかも残響時間が長く、余韻が飛躍的に改善されるものである。
【図面の簡単な説明】
【００４６】
【図１】本発明の仏りんの第１実施例を示す断面図
【図２】本発明の仏りんの第２実施例を示す断面図
【図３】本発明の仏りんの第３実施例を示す断面図
【図４】本発明の仏りんの第４実施例を示す断面図
【符号の説明】
【００４７】
１  仏りん本体
２  口縁部
３・３’・３”  内向厚肉部
４  底面
５  厚肉部
【図１】
0004624213.tif 000002
【図２】
0004624213.tif 000003
【図３】
0004624213.tif 000004
【図４】
0004624213.tif 000005